(57)【特許請求の範囲】
【請求項１】
熱輻射方式の空調システムの輻射パネルに生じる結露水を回収して所定の排水経路へ排出するための排水構造であって、前記輻射パネルから落下する水分を回収するための開口部を有する樋形状の受水容器と、前記受水容器に回収された水分を前記排水経路へ排出するため前記受水容器に設けられた排水口と、を有するドレンパンと、前記受水容器を前記輻射パネルに垂下状に取り付けるため前記受水容器に設けられた係止手段と、を備え、
前記輻射パネルが複数の縦パイプ及び横パイプを組み合わせて形成された柵状の輻射パネルであって、前記係止手段として、前記輻射パネルの横パイプに垂下状に係合可能な係止部材を前記受水容器の開口部側に設けた空調用輻射パネルの結露水排水構造。
【請求項２】
前記係止部材に、前記輻射パネルの横パイプを把持可能な湾状係合部若しくは前記輻射パネルの横パイプが挿通可能な孔状係合部を設けた請求項１記載の空調用輻射パネルの結露水排水構造。
【請求項３】
前記係止部材に、前記横パイプの長手方向に沿った前記受水容器の移動を阻止するストッパ部を設けた請求項１または２記載の空調用輻射パネルの結露水排水構造。
【請求項４】
前記受水容器の少なくとも一部が前記受水容器の排水口に向かう下り勾配をなすように前記輻射パネルに取り付け可能な請求項１〜３のいずれかに記載の空調用輻射パネルの結露水排水構造。
【請求項５】
前記排水口と前記排水経路との間に、伸縮性若しくは可撓性の少なくとも一方を有する排水管を配置した請求項１〜４のいずれかに記載の空調用輻射パネルの結露水排水構造。
【請求項６】
前記排水口と前記排水経路との間に、漏斗形状の受水部を有する受水器具を配置した請求項１〜５のいずれかに記載の空調用輻射パネルの結露水排水構造。
【請求項７】
前記受水容器の横断面形状がＶ字形状若しくは倒立台形状である請求項１〜６のいずれかに記載の空調用輻射パネルの結露水排水構造。
【発明の詳細な説明】
【技術分野】
【０００１】
本発明は、熱輻射方式の空調システムの一部として建物内に配置される輻射パネルに生じる結露水を回収して所定の排水経路へ排出するための空調用輻射パネルの結露水排水構造に関する。
【背景技術】
【０００２】
建物内の冷暖房を行う空調システムとしては、ルームエアコンなどの空調装置を用いたものが代表的であるが、近年、建物内に配置された放熱器（輻射パネル）に熱媒を循環供給し、輻射パネルから輻射される熱気や冷気によって建物内の暖房や冷房を行う空調システムが提案されている（例えば、特許文献１，２参照。）。
【０００３】
特許文献１記載の「間仕切内隠蔽暖冷房システム」においては、建物の壁間仕切内の上部、下部がそれぞれ上方受材、下方受材で閉鎖された空間内に、暖冷房循環タイプの全プラスチック樹脂製の放熱器（輻射パネル）が吊下げ支承されており、冷房運転中に放熱器に生じる結露水を回収して所定の排水経路に排出するためのドレンパンが放熱器の下部に配置されている。
【０００４】
前記放熱器は、上下主管間に縦パイプ群を並列連通した第１放熱パネルと第２放熱パネルとを重層形態で一体化したものであり、一方の放熱パネルの上側主管にサプライ管が接続され、他方の放熱パネルの上側主管にリターン管が接続されている。放熱器の上側主管は、上方受材に固定された吊金具によって支承され、ドレンパンは下方受材上に配置されている。また、ドレンパンから下方受材を貫通した状態でドレンパイプ及び排水パイプが連通配置されている。
【０００５】
特許文献２記載の「輻射冷暖房システム」は、冷温水供給ユニットからの冷温水を行き側冷温水ヘッダー及び戻り側冷温水ヘッダーを介して並列関係に接続してある複数の輻射冷暖房パネルへ供給し、供給後は冷温水供給ユニットへ戻すことによって空調を行うものである。また、前記輻射冷暖房パネルに生じる結露水を処理するための結露受けが設けられているが、前記結露受けは、結露水を処理するだけでなく、輻射冷暖房パネルの下側を保持する保持台の役割を有している。
【０００６】
具体的には、前記「輻射冷暖房システム」の場合、輻射冷暖房パネルの下側の支持部材を結露受けのパネル受け体の受け凹部に嵌め込むことによって、輻射冷暖房パネル下側が結露受けによって起立状態に保持されている。
【先行技術文献】
【特許文献】
【０００７】
【特許文献１】特開２０１１−２２６７４２号公報
【特許文献２】特開２００９−１５６５１７号公報
【発明の概要】
【発明が解決しようとする課題】
【０００８】
特許文献１に記載されている従来の放熱器（輻射パネル）方式の空調システムおいては、暖房・冷房運転時の輻射パネルの熱膨張・収縮に対応するため、輻射パネルは建物の上方受材に吊下げ状態に保持されているが、ドレンパン（受水容器）は下方受材上に固定されている。
【０００９】
このため、輻射パネルの熱膨張・収縮により、輻射パネルの下部とドレンパンとの相対位置関係が変化することがある。特に、冷房運転中は輻射パネルが収縮し、輻射パネルの下部とドレンパンとの距離が増大するので、輻射パネルに生じた結露水がドレンパン内に確実に落下しないことがある。
【００１０】
また、ドレンパンは下方受材に固定されるとともに、ドレンパンから下方受材を貫通した状態でドレンパイプ及び排水パイプが配管されているため、施工後（輻射パネルを設置した後）の輻射パネルの位置変更に伴うドレンパンの移動が困難である。
【００１１】
一方、特許文献２記載の「輻射冷暖房システム」の場合、前述したように、結露受けは結露水を処理する役割だけでなく、輻射冷暖房パネルの下側を保持する保持台の役割を有しており、輻射冷暖房パネル下側が結露受けによって起立状態に保持されている。従って、輻射冷暖房パネルの重量を支えるために、結露受けは、部品点数が多く、頑丈で複雑な構造とならざるを得ない。また、合成樹脂製の熱輻射冷暖房パネルに採用する場合、冷暖房運転に伴って輻射冷暖房パネルが伸縮すると、結露水の処理に支障が生じる可能性がある。さらに、施工後（輻射冷暖房パネルを設置した後）、輻射冷暖房パネルの位置変更が必要となった場合、輻射冷暖房パネルの移動に伴う結露受けの移動が困難である。
【００１２】
本発明が解決しようとする課題は、熱輻射方式の空調システムの輻射パネルに生じる結露水の飛散を防止することができ、施工後の輻射パネルの位置変更に伴う移動も容易な空調用輻射パネルの結露水排水構造を提供することにある。
【課題を解決するための手段】
【００１３】
本発明の空調用輻射パネルの結露水排水構造は、熱輻射方式の空調システムの輻射パネルに生じる結露水を回収して所定の排水経路へ排出するための排水構造であって、前記輻射パネルから落下する水分を回収するための開口部を有する樋形状の受水容器と、前記受水容器に回収された水分を前記排水経路へ排出するため前記受水容器に設けられた排水口と、を有するドレンパンと、前記受水容器を前記輻射パネルに垂下状に取り付けるため前記受水容器に設けられた係止手段と、を備え、
前記輻射パネルが複数の縦パイプ及び横パイプを組み合わせて形成された柵状の輻射パネルであって、前記係止手段として、前記輻射パネルの横パイプに垂下状に係合可能な係止部材を前記受水容器の開口部側に設けたことを特徴とする。
【００１４】
このような構成とすれば、前記係止手段を介して受水容器を輻射パネルに垂下状に取り付けることにより、輻射パネルとドレンパンとを一体化することができるので、暖房・冷房運転時に輻射パネルが伸縮した場合においても輻射パネルとドレンパンとの距離を略一定に保持することが可能となり、特に冷房運転中に生じる結露水の飛散を防止することができる。また、ドレンパンは、前記係止手段を介して輻射パネルに取り付けられるため、施工後の輻射パネルの位置変更に伴う移動も容易である。さらに、ドレンパンの受水容器は樋形状であるため、輻射パネルからドレンパンに向かって落下した結露水を確実に受け止め、排水口に導くことができる。
【００１５】
また、本発明の空調用輻射パネルの結露水排水構造においては、前記輻射パネルが複数の縦パイプ及び横パイプを組み合わせて形成された柵状の輻射パネルであって、前記係止手段として、前記輻射パネルの横パイプに垂下状に係合可能な係止部材を前記受水容器の開口部側に設けている。
【００１６】
この場合、前記係止部材に、前記輻射パネルの横パイプを把持可能な湾状係合部若しくは前記輻射パネルの横パイプが挿通可能な孔状係合部を設けることができる。
【００１７】
また、前記係止部材に、前記横パイプの長手方向に沿った前記受水容器の移動を阻止するストッパ部を設けることもできる。
【００１８】
一方、前記受水容器の少なくとも一部が前記受水容器の排水口に向かう下り勾配をなすように前記輻射パネルに取り付け可能とすることができる。
【００１９】
さらに、前記排水口と前記排水経路との間に、伸縮性若しくは可撓性の少なくとも一方を有する排水管を配置することもできる。
【００２０】
一方、前記排水口と前記排水経路との間に、漏斗形状の受水部を有する受水器具を配置することもできる。
【００２１】
また、前記受水容器は、その横断面形状がＶ字形状若しくは倒立台形状とすることができる。
【発明の効果】
【００２２】
本発明により、熱輻射方式の空調システムの輻射パネルに生じる結露水の飛散を防止することができ、施工後の輻射パネルの位置変更に伴う移動も容易な空調用輻射パネルの結露水排水構造を提供することができる。
【図面の簡単な説明】
【００２３】
【図１】本発明の実施の形態である空調用輻射パネルの結露水排水構造を構成するドレンパンを示す斜視図である。
【図２】図１に示すドレンパンの平面図である。
【図３】図１に示すドレンパンの底面図である。
【図４】図１に示すドレンパンを輻射パネルに取り付けた排水構造を示す一部省略正面図である。
【図５】図４に示す排水構造の一部省略右側面図である。
【図６】図４中の矢線Ａで示す領域の拡大図である。
【図７】図６中のＣ−Ｃ線における水平断面図である。
【図８】図５中の矢線Ｂで示す領域の拡大図である。
【図９】図１に示すドレンパンを輻射パネルに取り付ける手順を示す一部省略右側面図である。
【図１０】図１に示すドレンパンの排水口の下方に受水部材を配置した状態を示す一部省略正面図である。
【図１１】図１に示すドレンパンの排水口に排水管を接続した状態を示す一部省略正面図である。
【図１２】図１に示すドレンパンの排水口にその他の排水管を接続した状態を示す一部省略正面図である。
【図１３】図１に示すドレンパンの排水口にその他の排水管を接続した状態を示す一部省略正面図である。
【図１４】本発明のその他の実施の形態である空調用輻射パネルの結露水排水構造を示す水平断面図である。
【図１５】図１４中のＤ−Ｄ線における一部省略断面図である。
【図１６】ドレンパンに関するその他の実施の形態を示す斜視図である。
【図１７】図１６に示すドレンパンを用いたその他の実施の形態である空調用輻射パネルの結露水排水構造を示す水平断面図である。
【図１８】図１７に示す排水構造の右側面図である。
【図１９】本発明のその他の実施の形態である空調用輻射パネルの結露水排水構造を示す正面図である。
【図２０】図１９中のＥ−Ｅ線における水平断面図である。
【図２１】本発明のその他の実施の形態である空調用輻射パネルの結露水排水構造を示す正面図である。
【図２２】ドレンパンに関するその他の実施の形態を示す斜視図である。
【図２３】図２２に示すドレンパンを輻射パネルに取り付けて空調用輻射パネルの結露水排水構造を形成する手順を示す工程図である。
【図２４】図２３（ｃ）に示す空調用輻射パネルの結露水排水構造を示す右側面図である。
【図２５】ドレンパンに関するその他の実施の形態を示す斜視図である。
【図２６】図２５に示すドレンパンの平面図である。
【図２７】図２５に示すドレンパンの右側面図である。
【発明を実施するための形態】
【００２４】
以下、図面に基づいて本発明の実施の形態である空調用輻射パネルの結露水排水構造（以下、「排水構造」と略記する。）を構成するドレンパン１００，２００，３００，４００，５００，６００，７００などについて説明する。
【００２５】
図１〜図５に示すように、本発明の実施の形態である排水構造を構成するドレンパン１００は、合成樹脂材で形成された柵状の輻射パネル８０に生じる結露水を受水容器１０に回収して所定の排水経路へ排出するため当該輻射パネル８０に取り付けて使用される部材である。ここで、図４，図５に示すように、輻射パネル８０は、鉛直方向に配列された複数の縦パイプ８１と、これらの縦パイプ８１の上端及び下端をそれぞれ水平方向に連通する横パイプ（円管状の上部ヘッダ部材８２，下部ヘッダ部材８３）とを有する柵状の第１パネル８０ａ及び第２パネル８０ｂを平行に配置して形成されている。
【００２６】
第１パネル８０ａの上部ヘッダ部材８２の右端部分には、ヒートポンプなどの熱源機（図示せず）から供給される、温度調節された熱媒を輻射パネル８０内へ導入するための供給管８４が接続され、第２パネル８０ｂの上部ヘッダ部材８２の右端部分には、輻射パネル８０から熱媒を排出するための排出管８５が接続されている。
【００２７】
供給管８４から導入された熱媒は第１パネル８０ａ及び第２パネル８０ｂの複数の縦パイプ８１の内部を流通し、この過程で縦パイプ８１の表面から暖気若しくは冷気を放出することによって建物内の空調を行った後、排出管８５から排出される。
【００２８】
図１〜図４に示すように、ドレンパン１００は、冷房運転時に輻射パネル８０の表面に発生する結露水を回収するための開口部１１を有する受水容器１０と、受水容器１０に回収された水分を排水経路へ排出するため受水容器１０の底部１２に設けられた排水口１３と、受水容器１０を輻射パネル８０に取り付けるため受水容器１０の開口部１１側に設けられた二つの係止部材１４と、を備えている。
【００２９】
受水容器１０は、その全体が、垂直断面がＶ字状をした樋形状の部材であり、その両端部分はそれぞれ平板状の側壁１５で閉塞されている。図７に示すように、受水容器１０の開口部１１の上縁部１０ａの幅Ｗ１は、輻射パネル８０の２本の下部ヘッダ部材８３の配列幅Ｗ２より大であり、上縁部１０ａは平滑化処理が施されている。側壁１５の上縁部１５ａは、開口部１１の上縁部１０ａより低く設定されている。二つの側壁１５の間の距離Ｌは、下部ヘッダ部材８３の長さより大である。
【００３０】
二つの係止部材１４は、受水容器１０の開口部１１の側壁１５寄りの部分に起立状に設けられている。係止部材１４は、全体形状がＣ字形状をなす平板状の部材であり、輻射パネル８０の２本の横パイプ（平行をなす２本の下部ヘッダ部材８３）の外周を同時に把持可能な湾状係合部１４ａを有している。
【００３１】
ドレンパン１００は、発泡ポリプロピレン製の平板材を所定寸法にカットし、これに曲げ加工を施して、横断面Ｖ字状の樋形状をなすように成形し、その両端部に同材料製の三角状の側壁１５を接着するとともに、その上縁部１０ａ側に同材料製の二つの係止部材１４を接着して形成することができる。発泡ポリプロピレン製のドレンパン１００は、断熱性が良好で、軽量であるが、これに限定しないので、他の合成樹脂材料や金属材料などを用いて製造することができ、製造方法についても前述した組立方式のほか、一体成形法などを採用することもできる。
【００３２】
図６〜図８に示すように、ドレンパン１００は、二つの係止部材１４の湾状係合部１４ａで、輻射パネル８０の２本の下部ヘッダ部材８３を把持することにより、輻射パネル８０の下部に着脱可能に取り付けられる。輻射パネル８０に取り付けられたドレンパン１００の受水容器１０は、その樋形状の長手方向が輻射パネル８０の下部ヘッダ部材８３の長手方向と略平行をなしている。なお、係止部材１４の個数は限定しないので、下部ヘッダ部材８３の長さに応じて設定される受水容器１０のサイズなどに応じて増減することができる。
【００３３】
ドレンパン１００を輻射パネル８０に取り付ける方法は限定しないが、例えば、図９に示すように、輻射パネル８０の第１パネル８０ａの下部ヘッダ部材８３に係止部材１４の湾状係合部１４ａを引掛け、その状態で当該下部ヘッダ部材８３を中心に受水容器１０を回転させるようにして、第２パネル８０ｂの下部ヘッダ部材８３を湾状係合部１４ａ内に嵌め込めば、取り付けが完了する。また、前述と逆の作業を行えば、輻射パネル８０からドレンパン１００を取り外すことができる。
【００３４】
輻射パネル８０が冷房運転しているときに、縦パイプ８１の外周面などに生じた結露水は縦パイプ８１の長手方向に沿って流下していき、下部ヘッダ部材８３に到達した後、その外周面を伝わって、ドレンパン１００の受水容器１０の開口部１１に向かって落下し、受水容器１０内に回収される。受水容器１０内に回収された結露水は排水口１３に向かって流れ、排水口１３を通って所定の排水経路に排出される。
【００３５】
ドレンパン１００は係止部材１４を介して輻射パネル８０に取り付けることにより、輻射パネル８０とドレンパン１００とが一体化されるので、暖房・冷房運転時に輻射パネル８０が縦方向に伸縮した場合も輻射パネル８０とドレンパン１００との距離を略一定に保持することができる。従って、冷房運転中の輻射パネル８０に生じる結露水は周囲に飛散することなく、全てドレンパン１００に回収され、所定の排水経路に排出される。また、ドレンパン１００は、係止部材１４を介して輻射パネル８０に取り付けられるため、施工後の輻射パネル８０の位置変更に伴う移動も容易である。
【００３６】
係止部材１４は受水容器１０の開口部１１側に設けられているので、輻射パネル８０の下部ヘッダ部材８３に対する着脱作業がやり易く、取り付け状態の確認も容易である。また、下部ヘッダ部材８３から係止部材１４まで伝わってきた結露水も確実に受水容器１０内へ回収することができ、結露水を受水容器１０内に導くガイドとしても機能する。係止部材１４には、下部ヘッダ部材８３を把持可能な湾状係合部１４ａが設けられているので、輻射パネル８０側に何ら加工を施すことなく取り付け可能であり、確実に取り付けることができる。
【００３７】
また、ドレンパン１００の受水容器１０は輻射パネル８０の下部ヘッダ部材８３と略平行に取り付け可能な樋形状をなしているので、下部ヘッダ部材８３から落下する結露水を確実に回収することができるだけでなく、輻射パネル８０に取り付けたときの一体感が良好であり、外観上の違和感も生じない。
【００３８】
ドレンパン１００の受水容器１０の排水口１３から所定の排水経路に至るまでの通水経路については限定しないので、施工現場に応じた方式を採用することができるが、例えば、図１０〜１３に示すような実施形態とすることができる。
【００３９】
図１０に示す実施形態においては、ドレンパン１００の受水容器１０の排水口１３の下方に漏斗形状の受水部２０ａを有する受水器具２０が配置され、受水器具２０の下部排水口２０ｂが排水経路３０に連通されている。排水口１３と受水器具２０との間に他の部材を配置する必要がないので、施工時の位置合わせが容易であり、ドレンパン１００の位置が上下に変わったときの対応も容易である。
【００４０】
また、受水器具２０は漏斗形状の受水部２０ａを有しているので、当該受水器具２０を排水経路３０上に載置するだけで済み、ドレンパン１００の排水口１３と排水経路３０とを接続するホースなどが不要である。さらに、冷房・暖房時の輻射パネル８０の伸縮に伴うドレンパン１００の排水口１３の位置変化に的確に対応することができる。
【００４１】
そのほか、受水器具２０の受水部２０ａの平面視形状は排水口１３の外径より大径の円形であるため、ドレンパンの排水口１３の下端開口部が受水部２０ａの円形領域内にある限り受水機能を発揮する。このため、施工時のドレンパン１００の排水口１３との位置合わせが容易であることに加え、受水容器１０内に捕集した結露水を漏らさず排水経路３０へ排出することができる。
【００４２】
図１１に示す実施形態においては、ドレンパン１００の受水容器１０の排水口１３に蛇腹状の排水管２１が接続され、排水管２１の下端部が排水経路３０に連通されている。蛇腹状の排水管２１は伸縮性及び可撓性を有するので、施工時の排水口１３と排水経路３０との位置合わせが容易である。
【００４３】
図１２に示す実施形態においては、ドレンパン１００の受水容器１０の排水口１３に可撓性を有する排水管２２が接続され、排水管２２の下端部が排水経路３０に連通されている。排水管２２は可撓性を有し、湾曲可能であるので、施工時の排水口１３と排水経路３０との位置合わせが容易である。
【００４４】
図１３に示す実施形態においては、ドレンパン１００の受水容器１０の排水口１３に排水管２３が接続され、排水管２３の下端部が排水経路３０に連通されている。排水管２３は、外径の異なる複数の円筒体２３ａ，２３ｂ，２３ｃからなる入れ子構造を有し、同軸上で伸縮可能であるため、施工時の排水口１３と排水経路３０との位置合わせが容易である。
【００４５】
次に、図１４，図１５に基づいて、本発明のその他の実施の形態である排水構造について説明する。本実施形態の排水構造を構成するドレンパン２００においては、図１に示すドレンパン１００の係止部材１４と同様に係止部材２４が設けられているが、係止部材２４の湾状係合部２４ａを形成する二つの突片２４ｂ，２４ｃのうちの一方の突片２４ｂを他方の突片２４ｃに向かって突出させている。
【００４６】
また、ドレンパン２００が取り付けられた輻射パネル７０は、これを形成する第１パネル８０ａと第２パネル８０ｂとが横パイプ（上部ヘッダ部材８２，下部ヘッダ部材８３）の長手方向に、隣り合う縦パイプ８１の配置間隔と同じ距離だけ互いに変位した構造を有している。
【００４７】
輻射パネル７０の下部ヘッダ部材８３に対し、ドレンパン２００を取り付けた場合、図１４，図１５に示すように、係止部材２４の一方の突片２４ｂが第１パネル８０ａの縦パイプ８１の間に嵌入し、他方の突片２４ｃが第２パネル８０ｂの縦パイプ８１の裏側（第１パネル８０ａの反対側）に位置した状態となる。これにより、係止部材２４の突片２４ｂが、隣り合う縦パイプ８１の間に挟まれた状態となってストッパ部として機能するので、ドレンパン２００が輻射パネル７０の下部ヘッダ部材８３の長手方向に沿って移動するのを阻止することができる。
【００４８】
ドレンパン２００を輻射パネル７０に取り付ける方法は限定しないが、例えば、図９に示す取り付け方法と同様に、輻射パネル７０の第１パネル８０ａの下部ヘッダ部材８３に係止部材２４の一方の突片２４ｂを引掛け、その状態で当該下部ヘッダ部材８３を中心に受水容器１０を回転させるようにして、第２パネル８０ｂの下部ヘッダ部材８３に他方の突片２４ｃを引掛け、２本の下部ヘッダ部材８３を湾状係合部２４ａ内に嵌め込めば、取り付けが完了する。また、前述と逆の作業を行えば、輻射パネル７０からドレンパン２００を取り外すことができる。その他の部分の構造、機能などはドレンパン１００と同様であるため、図１〜図３中の符号と同符号を付して説明を省略する。
【００４９】
次に、図１６〜図１８に基づいて、本発明のその他の実施の形態である排水構造を構成するドレンパン３００について説明する。ドレンパン３００においては、係止部材３４の湾状係合部３４ａを形成する二つの突片３４ｂ，３４ｃの間隔を、図１に示すドレンパン１００の係止部材１４の場合より、広く設定している。また、受水容器１０の上縁部１０ａには起立部１０ｘが設けられている。
【００５０】
従って、図１７，図１８に示すように、３枚の柵状パネル（第１パネル８０ａ，第２パネル８０ｂ，第３パネル８０ｃ）を有する輻射パネル６０の３本の下部ヘッダ部材８３に対し、好適に取り付けることができる。その他の部分の構造、機能などはドレンパン１００と同様であるため、図１〜図３中の符号と同符号を付して説明を省略する。
【００５１】
次に、図１９，図２０に基づいて、本発明のその他の実施の形態である排水構造を構成するドレンパン４００について説明する。ドレンパン４００は、図１に示すドレンパン１００と略同様の構造であるが、図４に示す輻射パネル８０と若干異なる構造を有する輻射パネル５０に取り付け可能である。
【００５２】
輻射パネル５０は、水平方向に平行に配列された複数の横パイプ５１と、これらの横パイプ５１の左右端部をそれぞれ連通する、横パイプ５１より太径の縦型ヘッダ５２（縦パイプ５２）と、を有する２枚の柵状パネル（第１パネル５０ａと第２パネル５０ｂ）を平行に配置することによって形成されている。ドレンパン４００の係止部材４４は、輻射パネル５０の最下部に位置する２本の横パイプ５１を着脱可能に把持する湾状係合部（図示せず）を有している。
【００５３】
次に、図２１に基づいて、本発明のその他の実施の形態である排水構造について説明する。本実施形態の排水構造を構成するドレンパン５００の構造は図１９，図２０に示すドレンパン４００と略同様であるが、輻射パネル５０と構造の異なる輻射パネル４０の横パイプ４１を把持するために、二つの係止部材５４ａ，５４ｂにそれぞれ設けられた湾状係合部（図示せず）の位置が互いに異なっている。具体的には、図２１中の左側の係止部材５４ａの湾状係合部の位置は、右側の係止部材５４ｂの湾状係合部の位置より高く（受水部材１０より上に離れた状態に）設定されている。
【００５４】
輻射パネル４０は複数の横パイプ４１と、これらの左右端部を連通する、横パイプ４１より太径の縦型ヘッダ４２（縦パイプ４２）と、を有する２枚の柵状パネルを平行に配置することによって形成されているが、複数の横パイプ４１は右下がりの勾配をなすように傾斜配列され、２本の縦型ヘッダ４２は鉛直方向に配置されている。
【００５５】
前述したように、係止部材５４ａの湾状係合部の位置は、係止部材５４ｂの湾状係合部の位置より高く設定されているため、輻射パネル４０の最下部に位置する横パイプ４１に対し、二つの係止部材５４ａ，５４ｂを介してドレンパン５００を取り付けたとき、ドレンパン５００の受水容器１０は、その長手方向が概ね水平状態をなすように保持される。なお、前記「概ね水平状態をなすように保持される」とは、完全な水平状態に限らず、排水口１３側が僅かに下がるような傾斜状態（例えば、水平に対して概ね１度程度した傾斜状態）も含むものとする。
【００５６】
図２１に示す輻射パネル４０においては、複数の横パイプ４１自身が右下がりに傾斜しているため、輻射パネル４０に生じた結露水は傾斜方向（図２１中の右側方向）に導かれ、ドレンパン５００に捕集される。
【００５７】
従って、輻射パネル４０に発生した結露水が横パイプ４１の低位側から集中的にドレンパン５００の受水容器１０内に落下することがあっても、水平状態にある受水容器１０の排水口１３から確実に排水することができる。
【００５８】
次に、図２２〜図２４に基づいて、本発明のその他の実施の形態である排水構造について説明する。本実施形態の排水構造を構成するドレンパン６００は、図１に示すドレンパン１００の係止部材１４と形状の異なる係止部材６４、即ち、切り欠いた部分のない孔状係合部６４ａを有する二つの係止部材６４が設けられている。その他の部分の構造、機能はドレンパン１００と同様である。
【００５９】
ドレンパン６００は、図２３に示すように、下部ヘッダ部材８３の左端部８３ａ、右端部８３ｂが、それぞれ左端に位置する縦パイプ８１ａ、右端に位置する縦パイプ８１ｂより外側に突出した構造を有する輻射パネル４５に取り付けるのに適している。
【００６０】
ドレンパン６００を輻射パネル４５に取り付ける場合、図２３（ａ）に示すように、ドレンパン６００を右下がりの傾斜姿勢にして、ドレンパン６００を図中右側へ移動させることにより、左側の係止部材６４の孔状係合部６４ａを下部ヘッダ部材８３の左端部８３ａに向かって移動させ、左側の係止部材６４の孔状係合部６４ａ内に下部ヘッダ部材８３の左端部８３ａを挿入する。
【００６１】
次に、図２３（ｂ）に示すように、ドレンパン６００を水平姿勢とし、ドレンパン６００を図中左側へ移動させることにより、右側の係止部材６４の孔状係合部６４ａを下部ヘッダ部材８３の右端部８３ｂに向かって移動させ、図２３（ｃ）に示すように、右側の係止部材６４の孔状係合部６４ａ内に下部ヘッダ部材８３の右端部８３ｂを挿入すると、輻射パネル４５に対するドレンパン６００の取り付けが完了する。
【００６２】
図２４に示すように、輻射パネル４５に取り付けられた後のドレンパン６００は、その係止部材６４に設けられた、切欠き部の無い孔状係合部６４ａ内に２本の下部ヘッダ部材８３が挿入された状態で保持されるので、保持力が高く、施工後も長期間に亘って安定保持することができる。
【００６３】
次に、図２５〜図２７に基づいて、本発明のその他の実施の形態である排水構造を構成するドレンパン７００について説明する。図２５〜図２７に示すように、ドレンパン７００は、図１に示すドレンパン１００の受水容器１０と形状の異なる受水容器１０Ｘを備えている。即ち、図１に示すドレンパン１００の受水容器１０の横断面形状がＶ字形状であるのに対し、ドレンパン７００の受水容器１０Ｘの横断面形状は倒立台形状をなしている点において異なっている。
【００６４】
図２５〜図２７に示すように、受水容器１０Ｘの横断面形状は倒立台形状であることにより、受水容器１０Ｘの底部１２Ｘは平面状をなしているので、結露水に伴って落下したゴミや空気中の塵埃などが付着し難く、もし付着した場合においても清掃がし易いという利点がある。また、図８に示すように、ドレンパン１００においては、横断面形状がＶ字形状をなす受水容器１００のＶ字頂点である底部１２の下面側に排水口１３が取り付けられるので、製造上、多少作り難い面があるのに対し、受水容器１０Ｘにおいては、排水口１３は平面状をなす底部１２Ｘの下面側に取り付けられるため、製造が容易である。その他の部分の構造、機能はドレンパン１００と同様であるため、図１中の符号と同じ符号を付して説明を省略する。
【００６５】
なお、前述した実施の形態に係る排水構造及びそれらを構成するドレンパン１００，２００，３００，４００，５００，６００，７００などは本発明を例示するものであり、本発明の排水構造及びドレンパンなどは前述した排水構造及びドレンパン１００，２００，３００，４００，５００，６００，７００などに限定されない。
【産業上の利用可能性】
【００６６】
本発明の空調用輻射パネルの結露水排水構造は、熱輻射方式の空調システムの輻射パネルに生じる結露水を回収して所定の排水経路に排出する手段として、戸建て住宅や集合住宅などを建設する産業分野において広く利用することができる。
【符号の説明】
【００６７】
１０，１０Ｘ  受水容器
１０ａ  上縁部
１１  開口部
１２，１２Ｘ，１３Ｘ  底部
１３  排水口
１４，２４，３４，４４，５４ａ，５４ｂ，６４  係止部材
１４ａ，２４ａ，３４ａ  湾状係合部
１５  側壁
２０  受水器具
２０ａ  受水部
２１，２２，２３  排水管
２３ａ，２３ｂ，２３ｃ  円筒体
２４ｂ，２４ｃ  突片
３０  排水経路
６４ａ  孔状係合部
８０，７０，６０，５０，４０，４５  輻射パネル
８０ａ  第１パネル
８０ｂ  第２パネル
８０ｃ  第３パネル
８１  縦パイプ
８２  上部ヘッダ部材
８３  下部ヘッダ部材
８４  供給管
８５  排出管
１００，２００，３００，４００，５００，６００，７００  ドレンパン
Ｌ  長さ
Ｗ１，Ｗ２  幅
【図１】
0005951713.tif 000002
【図２】
0005951713.tif 000003
【図３】
0005951713.tif 000004
【図４】
0005951713.tif 000005
【図５】
0005951713.tif 000006
【図６】
0005951713.tif 000007
【図７】
0005951713.tif 000008
【図８】
0005951713.tif 000009
【図９】
0005951713.tif 000010
【図１０】
0005951713.tif 000011
【図１１】
0005951713.tif 000012
【図１２】
0005951713.tif 000013
【図１３】
0005951713.tif 000014
【図１４】
0005951713.tif 000015
【図１５】
0005951713.tif 000016
【図１６】
0005951713.tif 000017
【図１７】
0005951713.tif 000018
【図１８】
0005951713.tif 000019
【図１９】
0005951713.tif 000020
【図２０】
0005951713.tif 000021
【図２１】
0005951713.tif 000022
【図２２】
0005951713.tif 000023
【図２３】
0005951713.tif 000024
【図２４】
0005951713.tif 000025
【図２５】
0005951713.tif 000026
【図２６】
0005951713.tif 000027
【図２７】
0005951713.tif 000028